(57)【要約】  【課題】コンテンツを再生する場合、先頭から再生されるコンテンツと途中から再生されるコンテンツとを容易に判別することができる操作制御装置を提供する。  【解決手段】操作制御装置は、コンテンツ供給装置および表示再生装置を操作する操作部と、コンテンツ供給装置から受信したコンテンツを再生中に、操作制御部により再生停止操作があったとき、コンテンツの再生停止時の再生位置情報と、コンテンツの識別情報とを関連付けて記憶する記憶部と、コンテンツ供給装置から受信したコンテンツ情報に基づき、コンテンツリストを表示部に表示する表示制御部とを備える。表示制御部は、コンテンツリストを表示部に表示する際に、コンテンツ供給装置から受信したコンテンツ情報に含まれるコンテンツの識別情報と、記憶部に記憶されたコンテンツの識別情報とを照合し、照合が成立したコンテンツのタイトルと、照合が成立しなかったコンテンツのタイトルとを差異化して表示する。【選択図】図８
2010028791.tif 000002
【特許請求の範囲】
【請求項１】
情報を表示する表示部と、
ネットワークを介してコンテンツ供給装置および再生装置と通信する通信部と、
上記通信部を介して上記コンテンツ供給装置および上記再生装置を操作する操作部と、
上記コンテンツ供給装置から受信したコンテンツを再生中に、上記操作部により再生停止操作があったとき、上記コンテンツの識別情報を記憶する記憶部と、
上記コンテンツ供給装置から受信したコンテンツ情報に基づき、コンテンツリストを上記表示部に表示する制御部と
を備え、
上記制御部は、上記コンテンツリストを上記表示部に表示する際に、上記コンテンツ供給装置から受信したコンテンツ情報に含まれるコンテンツの識別情報と、上記記憶部に記憶されたコンテンツの識別情報とを照合し、照合が成立したコンテンツのタイトルと、照合が成立しなかったコンテンツのタイトルとを差異化して表示する操作制御装置。
【請求項２】
上記制御部は、照合が成立したコンテンツのタイトルの近傍に、コンテンツが前回途中まで再生されたことを示す目印を表示する請求項１記載の操作制御装置。
【請求項３】
上記記憶部は、上記コンテンツ供給装置から受信したコンテンツを再生中に、上記操作部により再生停止操作があったとき、上記コンテンツの再生停止時の再生位置情報と、上記コンテンツの識別情報とを関連付けて記憶する請求項１記載の操作制御装置。
【請求項４】
上記制御部は、上記操作部により再生操作があったときには、該再生操作により選択されたコンテンツの識別情報と、上記記憶部に記憶されたコンテンツの識別情報とを照合し、照合が成立した場合には、照合が成立したコンテンツの識別情報と関連付けられた再生位置情報に基づき、コンテンツを再生する請求項３記載の操作制御装置。
【請求項５】
上記記憶部は、上記コンテンツ供給装置から受信したコンテンツを再生中に、上記操作部により再生停止操作があったとき、上記コンテンツの再生停止時の再生位置情報と、上記コンテンツの識別情報と、上記コンテンツを送信したコンテンツ供給装置の識別情報とを関連付けて記憶する請求項１記載の操作制御装置。
【請求項６】
上記制御部は、上記操作部により再生操作があったときには、該再生操作により選択されたコンテンツの識別情報と、上記記憶部に記憶されたコンテンツの識別情報とを照合し、照合が成立した場合には、照合が成立したコンテンツの識別情報と、該コンテンツの識別情報に関連付けられた再生位置情報と、コンテンツ供給装置の識別情報とを再生装置に送信する請求項５記載の操作制御装置。
【請求項７】
上記制御部は、上記コンテンツ供給装置から受信したコンテンツを上記再生装置にて再生中に、上記操作部により再生停止操作があったとき、上記コンテンツの識別情報を上記記憶部に記憶する請求項１記載の操作制御装置。
【請求項８】
上記制御部は、上記コンテンツ供給装置から受信したコンテンツを上記表示部に表示する請求項１記載の操作制御装置。
【請求項９】
上記記憶部は、上記記憶部に記憶されたコンテンツの識別情報の数が所定の数を超えた場合には、上記コンテンツの識別情報を情報の古い順から上書きする請求項１記載の操作制御装置。
【請求項１０】
上記コンテンツ供給部から受信したコンテンツを上記再生装置で再生中に、上記操作部により再生停止操作がなされた後、再生停止操作がなされた上記コンテンツに対する取得操作が上記操作部によりなされたときには、
上記制御部は、上記取得操作により選択されたコンテンツを上記コンテンツ供給装置から取得するとともに、上記取得操作により選択されたコンテンツの再生位置情報を上記再生装置から取得し、取得した上記コンテンツを、上記コンテンツの識別情報と、上記コンテンツの再生位置情報と、コンテンツの取得先であるコンテンツ供給装置の識別情報と関連付けて上記記憶部に記憶する請求項１記載の操作制御装置。
【請求項１１】
上記制御部は、上記コンテンツ供給部から取得したコンテンツの再生操作が上記操作部によりなされたときには、上記コンテンツに関連付けられた上記コンテンツの識別情報と、上記コンテンツの再生位置情報とを上記記憶部から検索し、検索したこれらの情報に基づき、上記記憶部に記憶された上記コンテンツを再生する請求項１０記載の操作制御装置。
【請求項１２】
上記制御部は、上記再生装置にてコンテンツを再生する操作がなされたときには、該再生の操作により選択された上記コンテンツの識別情報と、上記コンテンツの再生位置情報と、上記コンテンツの取得先であるコンテンツ供給装置の識別情報とを上記記憶部から検索し、検索したこれらの情報を再生装置に送信する請求項１０記載の操作制御装置。
【請求項１３】
コンテンツ供給装置からネットワークを介して受信したコンテンツを再生中に、操作部により再生停止操作があったとき、上記コンテンツの識別情報を記憶部に記憶するステップと、
コンテンツ供給装置から受信したコンテン情報に含まれるコンテンツの識別情報と、上記記憶部に記憶されたコンテンツの識別情報とを照合し、照合が成立したコンテンツのタイトルと、照合が成立しなかったコンテンツのタイトルとを差異化して表示するステップと
を備えるコンテンツリストの表示方法。
【請求項１４】
コンテンツを蓄積するコンテンツ供給装置と、
上記コンテンツ供給装置からネットワークを介して受信したコンテンツを再生する再生装置と、
ネットワークを介して上記コンテンツ供給装置および上記表示再生部を操作する操作制御装置と
を備え、
上記操作制御装置は、
情報を表示する表示部と、
ネットワークを介してコンテンツ供給装置および再生装置と通信する通信部と、
上記通信部を介して上記コンテンツ供給装置および上記再生装置を操作する操作部と、
上記コンテンツ供給装置から受信したコンテンツを再生中に、上記操作部により再生停止操作があったとき、上記コンテンツの識別情報を記憶する記憶部と、
上記コンテンツ供給装置から受信したコンテンツ情報に基づき、コンテンツリストを上記表示部に表示する制御部と
を備え、
上記制御部は、上記コンテンツリストを上記表示部に表示する際に、上記コンテンツ供給装置から受信したコンテンツ情報に含まれるコンテンツの識別情報と、上記記憶部に記憶されたコンテンツの識別情報とを照合し、照合が成立したコンテンツのタイトルと、照合が成立しなかったコンテンツのタイトルとを差異化して表示するコンテンツ表示再生システム。
【発明の詳細な説明】
【技術分野】
【０００１】
この発明は、操作制御装置、コンテンツリストの表示方法、およびコンテンツ表示再生システムに関する。詳しくは、ネットワークを介してコンテンツ供給装置および表示再生装置を操作する操作制御装置に関する。
【背景技術】
【０００２】
近年、サーバ（ＤＭＳ：Digital Media Server）に保存したビデオやミュージックコンテンツをホームネットワーク経由でプレーヤ（ＤＭＰ：Digital Media Player）で選択して再生することが可能になっている。また、コントローラ（ＤＭＣ：Digital Media Controller）で選択してレンダラ（ＤＭＲ：Digital Media Renderer）で再生させることも可能になっている。
【０００３】
このようなネットワークにおいて、ビデオやミュージックなどのコンテンツを再生する場合、ビデオやミュージックなどのコンテンツは必ずしも最後まで再生されるとは限らず、都合により途中で停止して別の機会に続きを再生する場合がある。また、ＤＬＮＡ（Digital Living Network Alliance）で規定されるモデル（例えば2box、3boxモデル）には、再生途中で停止したコンテンツを停止位置から再生再開させる規定はない。そこで、ユーザの都合により再生を一時停止した場合にも、再開時に停止位置から再生を可能とするコンテンツ表示再生システムが提案されている（例えば特許文献１参照）。
【先行技術文献】
【特許文献】
【０００４】
【特許文献１】特開２００７−６４４３号公報
【発明の概要】
【発明が解決しようとする課題】
【０００５】
しかし、上述のコンテンツ表示再生システムでは、サーバに保存したコンテンツ数が膨大になると、どのコンテンツを途中まで視聴したかを忘れてしまうことがある。このような場合には、コンテンツ選択画面において、サムネイル、タイトル、録画・録音日時などの情報を確認するだけでは、どのコンテンツを途中まで視聴したかを判別することは困難である。また、ＨＤＤ（Hard Disk Drive）ビデオレコーダには、未視聴ビデオであることを示すアイコンをコンテンツリストのサムネイル付近に表示するなどして差異化して表示するものもある。しかし、１回以上再生したコンテンツは、そのアイコンが表示されないのでコンテンツリストを見ただけで途中まで再生したのか最後まで再生したのか、すなわち、次回再生した場合、先頭から再生されるのか途中から再生されるのかを判別することはできない。
【０００６】
ビデオテープやカセットテープなどの媒体に保存されたコンテンツの場合、テープの巻き取り量で、途中まで再生したかどうかを判断できる。しかし、上述したように、ＨＤＤや半導体メモリなどの媒体に保存されたコンテンツの場合、初回再生以外で、先頭から再生されるのか途中から再生されるのかを判別することは困難である。そこで、このような判別が可能なユーザーインタフェースが望まれている。
【０００７】
また、ＨＤＤを搭載し放送番組を録画し蓄積できるレコーダが登場しているが、録画により録りためたコンテンツの視聴機会を拡大するために、ポータブル再生機への転送機能を有した機器も登場している。録画コンテンツの中には、放送事業者の許諾のため、転送に制限が課せられているものがあり、転送によりポータブル再生機へ持ち出したコンテンツは、レコーダ側で再生が抑止されるものもある。一般にポータブル機器ではそのストレージ・再生リソースがレコーダほど豊かでないために、転送時にコンテンツを変換（トランスコード/トランスレート）してデータ量を低減することもある。このような場合、転送によりポータブル再生機へ持ち出したコンテンツを再びレコーダに戻すことで録画したオリジナルコンテンツの再生を再び可能とする機能も登場している。
【０００８】
一方、ホームネットワークを実現するＤＬＮＡでは、コンテンツをサーバからダウンロードする機能やその逆にアップロードする機能が規定され、サーバ上に保存されたコンテンツを共有する機能をさらに支援できる環境が整ってきている。しかし、現状では、ポータブル再生機へ持ち出したコンテンツとホームネットワーク上で共有されるコンテンツとは、その保存形態の違いからか、独立したものになっている。このため、ホームネットワークを構成する家庭用ＡＶ機器で、ポータブル機器で再生した続きからコンテンツを再生したい場合、以下のようにする必要がある。すなわち、コンテンツをホームネットワーク上で特定した後に、再生を開始したい位置を指定するか、早送り機能などを使って頭出しを行った後に、再生を開始する必要がある。その結果、コンテンツの続きを再生する操作は、非常に煩わしいものとなってしまう。したがって、例えばポータブル再生機で再生中のコンテンツを帰宅後、ホームネットワークを構成する家庭用ＡＶ機器でその続きを再生したい場合でも、ポータブル機器で再生していた。
【０００９】
したがって、この発明の第１の目的は、コンテンツを再生する場合、先頭から再生されるコンテンツと、途中から再生されるコンテンツとを容易に判別することができる操作制御装置、コンテンツリストの表示方法、およびコンテンツ表示再生システムを提供することにある。
【００１０】
したがって、この発明の第２の目的は、途中まで再生したコンテンツを、異なる機器間でシームレスに再生することができる操作制御装置、コンテンツリストの表示方法、およびコンテンツ表示再生システムを提供することにある。
【課題を解決するための手段】
【００１１】
上述の課題を解決するために、第１の発明は、
情報を表示する表示部と、
ネットワークを介してコンテンツ供給装置および再生装置と通信する通信部と、
通信部を介してコンテンツ供給装置および再生装置を操作する操作部と、
コンテンツ供給装置から受信したコンテンツを再生中に、操作部により再生停止操作があったとき、コンテンツの再生停止時の再生位置情報と、コンテンツの識別情報とを関連付けて記憶する記憶部と、
コンテンツ供給装置から受信したコンテンツ情報に基づき、コンテンツリストを表示部に表示する制御部と
を備え、
制御部は、コンテンツリストを表示部に表示する際に、コンテンツ供給装置から受信したコンテンツ情報に含まれるコンテンツの識別情報と、記憶部に記憶されたコンテンツの識別情報とを照合し、照合が成立したコンテンツのタイトルと、照合が成立しなかったコンテンツのタイトルとを差異化して表示する操作制御装置である。
【００１２】
第２の発明は、
コンテンツ供給装置からネットワークを介して受信したコンテンツを再生中に、操作部により再生停止操作があったとき、コンテンツの再生停止時の再生位置情報と、コンテンツの識別情報とを関連付けて記憶部に記憶するステップと、
コンテンツ供給装置から受信したコンテン情報に含まれるコンテンツの識別情報と、記憶部に記憶されたコンテンツの識別情報とを照合し、照合が成立したコンテンツのタイトルと、照合が成立しなかったコンテンツのタイトルとを差異化して表示するステップと
を備えるコンテンツリストの表示方法である。
【００１３】
第３の発明は、
コンテンツを蓄積するコンテンツ供給装置と、
コンテンツ供給装置からネットワークを介して受信したコンテンツを再生する再生装置と、
ネットワークを介してコンテンツ供給装置および表示再生部を操作する操作制御装置と
を備え、
操作制御装置は、
情報を表示する表示部と、
ネットワークを介してコンテンツ供給装置および再生装置と通信する通信部と、
通信部を介してコンテンツ供給装置および再生装置を操作する操作部と、
コンテンツ供給装置から受信したコンテンツを再生中に、操作部により再生停止操作があったとき、コンテンツの再生停止時の再生位置情報と、コンテンツの識別情報とを関連付けて記憶する記憶部と、
コンテンツ供給装置から受信したコンテンツ情報に基づき、コンテンツリストを表示部に表示する制御部と
を備え、
制御部は、コンテンツリストを表示部に表示する際に、コンテンツ供給装置から受信したコンテンツ情報に含まれるコンテンツの識別情報と、記憶部に記憶されたコンテンツの識別情報とを照合し、照合が成立したコンテンツのタイトルと、照合が成立しなかったコンテンツのタイトルとを差異化して表示するコンテンツ表示再生システムである。
【００１４】
この発明では、コンテンツリストを表示部に表示する際に、コンテンツ情報に含まれるコンテンツの識別情報と、記憶部に記憶されたコンテンツの識別情報とを照合する。そして、照合が成立したコンテンツのタイトルと、照合が成立しなかったコンテンツのタイトルとを差異化して表示する。したがって、ユーザはコンテンツリストを閲覧するだけで、どのコンテンツが途中まで再生されたものであるかを容易に判別することができる。
また、表示制御部は、操作制御部により再生操作があった場合、該再生操作により選択されたコンテンツの識別情報と、該識別情報と関連付けられたコンテンツの再生位置情報とを記憶部から読み出す。そして、コンテンツの識別情報とコンテンツの再生位置情報に基づき、コンテンツの再生位置情報に対応する位置からコンテンツの再生を再生装置にさせる。したがって、操作制御装置にて途中まで再生したコンテンツを再生装置でシームレスに再生することができる。
【発明の効果】
【００１５】
以上説明したように、この発明によれば、コンテンツを再生する場合、先頭から再生されるコンテンツと、途中から再生されるコンテンツとをコンテンツリストにより容易に判別することができる。
【図面の簡単な説明】
【００１６】
【図１】この発明の一実施形態によるコンテンツ表示再生システムの第１の構成例を示す概略図である。
【図２】この発明の一実施形態によるコンテンツ表示再生システムの第２の構成例を示す概略図である。
【図３】この発明の一実施形態によるコンテンツ表示再生システムの第３の構成例を示す概略図である。
【図４】コンテンツ供給部の一構成例を示す機能ブロック図である。
【図５】コンテンツ供給部のハードウェアの一構成例を示すブロック図である。
【図６】表示再生部の一構成例を示す機能ブロック図である。
【図７】表示再生部のハードウェアの一構成例を示すブロック図である。
【図８】操作制御部の一構成例を示す機能ブロック図である。
【図９】操作制御部のハードウェアの一構成例を示すブロック図である。
【図１０】操作制御部のソフトウェア構成の一例を示す図である。
【図１１】コンテンツリスト表示の一例を示す略線図である。
【図１２】再生レジューム情報データベースの一例を示す略線図である。
【図１３】再生レジューム情報データベースの一例を示す略線図である。
【図１４】再生レジューム情報を使ったＧＵＩ表示、および途中再生の処理の一例について説明するためのフローチャートである。
【図１５】コンテンツ再生途中で再生停止操作制御を行い、当該コンテンツの再生レジューム情報を記憶する処理の一例について説明するためのフローチャートである。
【図１６】コンテンツ供給部から操作制御部にコンテンツをダウンロールする動作の一例について説明するためのフローチャートである。
【図１７】操作制御部にて途中まで再生したコンテンツを表示再生部にてシームレスに再生する動作の一例について説明するためのフローチャートである。
【図１８】操作制御部にて途中まで再生したコンテンツを表示再生部にてシームレスに再生する動作の一例について説明するためのフローチャートである。
【発明を実施するための形態】
【００１７】
この発明の実施形態について以下の順序で説明する。
（１）第１の実施形態（コンテンツ表示再生システムの例）
（２）第２の実施形態（コンテンツ供給部がレンダラ機能を有する例）
【００１８】
＜１．第１の実施形態＞
［コンテンツ表示再生システムの構成］
図１は、この発明の一実施形態によるコンテンツ表示再生システムの第１の構成例を示す概略図である。図１に示すように、このコンテンツ表示再生システム１は、デジタルビデオレコーダなどのＡＶコンテンツサーバを具体例とする１台のコンテンツ供給部１２と、コンテンツ供給部１２の操作を制御する操作制御部１３とを備える。これらのコンテンツ供給部１２と操作制御部１３が、無線ネットワークと有線ネットワークとを組み合わせたホームネットワーク１１に接続されている。
【００１９】
ホームネットワーク１１は、家庭内デジタルネットワークである。このホームネットワーク１１では、コンテンツ供給部１２が、例えばＬＡＮケーブル１１ｂによりルーター１１ａに接続されている。また、無線ＬＡＮのアクセスポイント１１ｃが、ルーター１１ａに接続されている。操作制御部１３が、例えばＩＥＥＥ８０２．１１方式のプロトコル、またはその発展プロトコルなどの所定のプロトコルを用いてアクセスポイント１１ｃに無線接続されている。このため、操作制御部１３は、ホームネットワーク１１上のコンテンツ供給部１２と接続されており、その操作を制御することができる。
【００２０】
図２は、この発明の一実施形態によるコンテンツ表示再生システムの第２の構成例を示す概略図である。このコンテンツ表示再生システム１では、図２に示すように、１台の表示再生部１４がルーター１１ａに接続されている。したがって、操作制御部１３は、ホームネットワーク１１上のコンテンツ供給部１２と表示再生部１４と接続されており、それらの操作を制御することができる。
【００２１】
図３は、この発明の一実施形態によるコンテンツ表示再生システムの第３の構成例を示す概略図である。このコンテンツ表示再生システム１では、図３に示すように、２台のコンテンツ供給部１２と、３台の表示再生部１４とが、ルーター１１ａに接続されている。したがって、操作制御部１３は、２台のコンテンツ供給部１２と、３台の表示再生部１４と接続されており、それらの操作を制御することができる。
【００２２】
以下では、図２に示したコンテンツ表示再生システム１について、この発明の一実施形態について説明するが、この発明はこのシステムの例に限定されるものではなく、図１および図３に示したコンテンツ表示再生システム１に対してもこの発明は適用可能である。
【００２３】
サーバであるコンテンツ供給部１２は、オーディオビジュアル（ＡＶ）コンテンツをストリーミング配信可能なＡＶコンテンツサーバである。このコンテンツ供給部１２にＡＶコンテンツなどが格納されている。
【００２４】
クライアントである表示再生部１４は、コンテンツ供給部１２からストリーミング配信されたコンテンツを受信し、再生して、表示や音声出力することができるストリーミング再生機能を有する。この表示再生部１４は、操作制御部１３により制御される。
【００２５】
クライアントである操作制御部１３は、ホームネットワーク１１に接続されたコンテンツ供給部１２、および表示再生部１４を操作制御するための遠隔操作装置（リモートコントローラ）である。操作制御部１３は、例えばＬＣＤ（Liquid Crystal Display）やスピーカなどの出力デバイスを有し、コンテンツ供給部１２からストリーミング配信されたＡＶコンテンツをストリーミング再生する機能を有する。また、操作制御部１３は、ホームネットワーク１１に接続された各機器を制御する制御機能(ＣＰ：Control Point)を有する。すなわち、操作制御部１３は、ＡＶコンテンツのストリーミング再生機能と、ホームネットワーク１１に接続されているコンテンツ供給部１２、および表示再生部１４の制御機能とを併せ持っている。
【００２６】
操作制御部１３は、操作制御部１３自体を含めた各部間でコンテンツの送受信を制御し、表示再生部１４および操作制御部１３自体における映像の表示と音声の再生を制御する。操作制御部１３は、ホームネットワーク１１の無線ＬＡＮ部を使って、無線ＬＡＮ用アクセスポイント１１ｃを経由して、ホームネットワーク１１上の機器にアクセスすることが可能となっている。操作制御部１３は、コンテンツ供給部１２に対してストリーミング配信要求を出し、ストリーミング再生を行うときのクライアント動作を設定可能である。
【００２７】
操作制御部１３は、サーバであるコンテンツ供給部１２に存在するＡＶコンテンツを表示再生部１４または操作制御部１３で表示再生するとき、再生開始位置をユーザの所望にしたがって設定できる。操作制御部１３は、表示再生部１４または操作制御部１３でコンテンツ供給部１２から受信したコンテンツを再生中に、ユーザにより操作制御部１３を介して再生停止操作があったときには、次のような処理を行う。すなわち、操作制御部１３は、コンテンツの再生停止時の再生位置情報（再生レジューム情報）を表示再生部１４などから取得し、記憶する。
【００２８】
操作制御部１３は、再生レジューム情報を記憶する際、ホームネットワーク１１内で当該コンテンツを唯一無二に特定できる識別情報を記憶する。例えば、コンテンツ供給部１２が持つすべてのコンテンツをそれぞれ個別に特定できる識別情報（例えば、UPnPのCDSにおけるObjectID）と、当該コンテンツの供給元であるコンテンツ供給部１２を特定できる識別情報（例えば、UPnPのDevice ArchtectureにおけるUDN）とを関連付けて記憶する。図３に示すように、コンテンツ表示再生システム１が複数のコンテンツ供給部１２を有する場合には、コンテンツ供給部１２を特定する識別情報のみでは、ホームネットワーク１１内で１つのコンテンツに特定できない可能性があるので、コンテンツ供給部１２の識別情報も組み合わせることが好ましい。
【００２９】
一方、再生レジューム情報を操作制御部１３に記憶していても、操作制御部１３による再生操作制御のＧＵＩ（Graphical User Interface）にそれが反映されている必要がある。反映されていなければ、ユーザは再生操作制御の後、表示再生部１４または操作制御部１３で再生が始まるまで当該コンテンツが先頭から再生されるのか、途中から再生されるのかがわらない。また、途中まで視聴したコンテンツを選択する手がかりも無い。そこで、この発明の一実施形態では、操作制御部１３によってコンテンツを選択するためのＧＵＩ表現を以下のように行う。すなわち、再生レジューム情報があるコンテンツのタイトルの近傍に、途中まで再生済みであることを表す目印であるアイコン（以下、再生レジューム情報ありアイコンと称する）などを表示する。すなわち、再生レジューム情報が操作制御部１３にあるコンテンツと、再生レジューム情報が操作制御部１３にないコンテンツとを差異化して表示する。
【００３０】
再生レジューム情報が操作制御部１３にあるコンテンツを選択し、再生操作の制御をする場合、操作制御部１３は、以下のような処理を行う。すなわち、再生レジューム情報に基づき、表示再生部１４または操作制御部１３自体においてコンテンツの途中からの再生を要求し、当該コンテンツを途中から再生開始する。再生制御する時点で途中から再生されることはユーザにとって既知のことであり、ユーザは再生操作制御の動作結果が正常であると理解できる。また、再生レジューム情報ありアイコンは、再生レジューム情報（再生履歴）が操作制御部１３にあることを示すので、途中まで視聴したコンテンツを選択する手がかりにもなる。
【００３１】
以下、上述したコンテンツ供給部１２、表示再生部１４、および操作制御部１３の構成について説明する。
【００３２】
（コンテンツ供給部）
図４は、コンテンツ供給部１２の一構成例を示す機能ブロック図である。図４に示すように、コンテンツ供給部１２は、ネットワークインタフェース部（以下Ｉ／Ｆ部と称する）２０と、コンテンツ配信処理部２１と、コンテンツ蓄積部２２とを備える。
【００３３】
コンテンツ蓄積部２２はハードディスクなどの大容量蓄積媒体である。例えば、コンテンツ蓄積部２２は、放送波、インターネットおよびＤＶＤ（Digital Versatile Disc）やＣＤ（Compact Disc）などの記録メディアから取得したコンテンツをストリーミングデータとして蓄積する。
【００３４】
ネットワークＩ／Ｆ部２０は、コンテンツ蓄積部２２をホームネットワーク１１に接続するためのインタフェース機能部である。コンテンツ配信処理部２１は、操作制御部１３から送信された配信要求をネットワークＩ／Ｆ部２０を介して受信する。そして、この要求に応じて、コンテンツ蓄積部２２に蓄積したコンテンツデータを読み出し、要求先の表示再生部１４または操作制御部１３にネットワークＩ／Ｆ部２０を介してストリーミング配信する。
【００３５】
図５は、コンテンツ供給部１２のハードウェアの一構成例を示すブロック図である。図５に示すように、コンテンツ供給部１２は、ＣＰＵ（Central processing Unit）８１と、ＲＯＭ（Read Only Memory）８２と、ＲＡＭ（Random Access Memory）８３とを備える。また、コンテンツ供給部１２は、入力部８４と、出力部８５と、通信部８６と、ＨＤＤ８７と、ドライブ８８と、入出力インタフェース８９とを備える。ＣＰＵ８１が、バス９０を介して、ＲＯＭ８２、ＲＡＭ８３、および入出力インタフェース８９に対して接続されている。入出力インタフェース８９に対して、入力部８４、出力部８５、通信部８６、ＨＤＤ８７、およびドライブ８８が接続されている。
【００３６】
ＣＰＵ８１は、コンテンツ供給部１２に備えられた各部を制御する。ＲＯＭ８２は、各種の処理プログラムに加え、処理に必要なデータを記録している。ＲＡＭ８３は、主に各種の処理の作業領域として用いられ、各種の処理において得られたデータを一時的に記憶保持する。入力部８４は、ユーザによる操作入力を受け付けるものであり、ユーザの操作入力に応じた操作信号をＣＰＵ８１に供給する。出力部８５は、ＬＣＤ（Liquid Crystal Display）やＣＲＴ（Cathode-Ray Tube）などの表示装置を備え、ＣＰＵ８１の制御に基づき各種情報を表示する。また、必要に応じて、出力部８５がスピーカなどの音声出力部を備え、この音声出力部により各種音声を出力するようにしてもよい。
【００３７】
通信部８６は、ルーター１１ａとの間で、ＬＡＮケーブル１１ｂなどを介して所定のプロトコルにしたがった通信を行なう。通信部８６は、例えば、ＬＡＮケーブル１１ｂを介して、コンテンツをストリーミング配信する。ＨＤＤ８７は、放送波、インターネット、ならびにＢＤ（Blu-ray Disc）、ＤＶＤ、およびＣＤなどの記録メディアから取得したコンテンツをストリーミングデータとして蓄積する。ドライブ８８は、各種記録メディアを記録および再生可能なものである。例えば、ドライブ８８により再生されたデータは、ＨＤＤ８７に蓄積される。
（表示再生部）
【００３８】
図６は、表示再生部１４の一構成例を示す機能ブロック図である。図６に示すように、表示再生部１４は、ネットワークＩ／Ｆ部３０と、コンテンツ受信処理部３１と、コンテンツデコード部３２と、コンテンツ再生部３３と、コンテンツ表示部３４と、コンテンツ音声出力部３５とを備える。
【００３９】
ネットワークＩ／Ｆ部３０は、表示再生部１４をホームネットワーク１１に接続するインタフェース機能部である。コンテンツ受信処理部３１は、ストリーミング配信されたコンテンツデータをネットワークＩ／Ｆ部３０を介して受信し、コンテンツデコード部３２に供給する。コンテンツデコード部３２は、コンテンツ受信処理部３１から供給されたコンテンツデータをデコードし、コンテンツ再生部３３に供給する。
【００４０】
コンテンツ再生部３３は、コンテンツデコード部３２から供給されたコンテンツデータを再生し、例えばコンテンツデータを映像データと音声データとに分離する。そして、分離した映像データをコンテンツ表示部３４に供給し、分離した音声データをコンテンツ音声出力部３５に供給する。コンテンツ表示部３４は、ＬＣＤやＣＲＴ（Cathode-Ray Tube）などの表示装置を備え、コンテンツ再生部３３から再生された映像データに基づき映像を表示する。コンテンツ音声出力部３５は、スピーカなどを備え、コンテンツ再生部３３から供給された音声データに基づき音声を出力する。
【００４１】
図７は、表示再生部１４のハードウェアの一構成例を示すブロック図である。図７に示すように、表示再生部１４は、ＣＰＵ９１と、通信部９２と、受信処理部９３と、デコード部９４と、映像信号処理部９５と、ＬＣＤ９６と、音声信号増幅部９７と、スピーカ９８とを備える。ＣＰＵ９１は、バス１０５を介して、通信部９２、受信処理部９３、デコード部９４に対して接続されている。デコード部９４に対して映像信号処理部９５、および音声信号増幅部９７が接続されている、映像信号処理部９５に対してＬＣＤ９６が接続され、音声信号増幅部９７に対してスピーカ９８が接続されている。
【００４２】
また、図７に示すように、表示再生部１４は、ＲＯＭ９１と、ＲＡＭ１００と、ＥＥＰＲＯＭ（Electrical Erasable Programmable ＲＯＭ）１０１と、入力Ｉ／Ｆ１０２と、キー入力部１０３とを備える。ＣＰＵ９１が、バス１０５を介してＲＯＭ９９、ＲＡＭ１００、ＥＥＰＲＯＭ１０１、および入力部Ｉ／Ｆ１０２に対して接続されている。入力Ｉ／Ｆ１０１に対してキー入力部１０３が接続されている。
【００４３】
ＣＰＵ９１は、表示再生部１４に備えられた各部を制御する。通信部９２は、ルーター１１ａとの間で、ＬＡＮケーブル１１ｂなどを介して所定のプロトコルにしたがった通信を行なう。通信部９２は、例えば、ＬＡＮケーブル１１ｂを介して、コンテンツ供給部１２からストリーミング配信されたコンテンツを受信する。受信処理部９３は、通信部９２から供給されたコンテンツデータに対して所定の信号処理を施し、デコード部９４に供給する。
【００４４】
デコード部９４は、コンテンツデータをデコードし、デコードした映像データを映像信号処理部９５に供給し、デコードした音声データを音声信号増幅部９７に供給する。映像信号処理部９５は、デコード部９４から供給された映像データに所定の信号処理を施し、ＬＣＤ９６に供給する。ＬＣＤ９６は、映像信号処理部９５から供給された映像データに基づき画像を表示する。音声信号増幅部９７は、デコード部９４から供給された音声信号に対して増幅処理を施し、スピーカ９８に供給する。スピーカ９８は、音声信号増幅部９７から供給される音声信号に基づき音声を出力する。
【００４５】
ＲＯＭ９９は、各種の処理プログラムに加え、処理に必要なデータを記録している。ＲＡＭ１００は、主に各種の処理の作業領域として用いられ、各種の処理において得られたデータを一時的に記憶保持する。ＥＥＰＲＯＭ１０１は、表示再生部１４の設定などの各種データを記憶する。入力Ｉ／Ｆ部１０２は、ＣＰＵ９１がキー入力部１０３との信号のやり取りを行うためのものである。キー入力部１０３は、ユーザによる操作入力を受け付けるものであり、ユーザの操作入力に応じた操作信号を入力Ｉ／Ｆ部１０２を介してＣＰＵ９１に供給する。
【００４６】
（操作制御部）
図８は、操作制御部１３の一構成例を示す機能ブロック図である。操作制御部１３は、ネットワークＩ／Ｆ部４０と、コンテンツ受信処理部４１と、リスト生成部４２と、リスト表示部４３と、コンテンツ再生部４４と、コンテンツ表示部４５と、記憶部４６とを備える。また、操作制御部１３は、コントロール信号生成部４７と、表示再生部リスト表示部４８と、入力操作判定部４９と、入力操作受付部５０とを備える。
【００４７】
ネットワークＩ／Ｆ部４０は、操作制御部１３をホームネットワーク１１に接続するインタフェース機能部である。具体的には、ネットワークＩ／Ｆ部４０は、ホームネットワーク１１の無線ＬＡＮアクセスポイント１１ｃとの間で所定のプロトコルにしたがった無線通信を行なうためのインタフェース機能部である。例えば、ＩＥＥＥ８０２．１１方式のプロトコル、またはその発展プロトコルなどの所定のプロトコルにしたがった無線通信を行なうためのインタフェース機能部である。
【００４８】
コンテンツ受信処理部４１は、コンテンツ供給部１２からコンテンツに関するコンテンツ情報やコンテンツデータそのものをネットワークＩ／Ｆ部４０を介して受信し、復調などの処理を施す。そして、コンテンツに関するコンテンツ情報をリスト生成部４２に供給し、コンテンツデータそのものをコンテンツ再生部４４に供給する。コンテンツ情報は、コンテンツ供給部の識別情報、コンテンツ供給部１２に蓄積されているコンテンツのタイトル、コンテンツの識別情報などを含んでいる。
【００４９】
リスト生成部４２は、コンテンツ受信処理部４１から供給されたコンテンツに関するコンテンツ情報からコンテンツリストを生成し、リスト表示部４３に供給する。リスト表示部４３は、リスト生成部４２から供給されたコンテンツリストを表示する。この際、リスト生成部４２は、コンテンツ情報に含まれるコンテンツの識別情報と、記憶部４６に記憶されたコンテンツの識別情報とを照合して、照合が成立したコンテンツと、照合が成立しなかったコンテンツとを差別化してリスト表示部４３に表示する。例えば、照合が成立したコンテンツには、再生レジューム情報ありアイコンをコンテンツタイトルの近傍に表示する。
【００５０】
コンテンツ再生部４４は、コンテンツ受信処理部４１から供給されたコンテンツデータにデコードなどの処理を施し、コンテンツ表示部４５にてコンテンツデータをストリーミング再生する。コンテンツ表示部４５は、ＬＣＤなどの表示装置を備え、コンテンツ再生部４４から供給されたコンテンツデータに基づき、映像を表示する。記憶部４６は、コンテンツ再生部４４から供給されたコンテンツデータや再生レジューム情報などを記憶する。具体的には、記憶部４６は、再生レジューム情報データベースを有し、この再生レジューム情報データベースに再生レジューム情報が登録される。再生レジューム情報データベースは、例えばリレーショナル型データベースであり、コンテンツ供給元のコンテンツ供給部の識別情報、コンテンツの識別情報、コンテンツ再生停止時の時間情報などを項目として有する。
【００５１】
入力操作受付部５０は、ユーザによる操作入力を受け付けるものであり、ユーザの操作入力に応じた操作信号を入力操作判定部４９に供給する。入力操作判定部４９は、入力操作受付部５０にて受け付けたユーザによる入力操作がどのような入力操作であるのかを判定する。具体的には、ユーザが入力操作受付部５０の操作子などを押圧、回転、押し上げ、または押し下げなどして行なったキー入力操作に対する判定を行なう。
【００５２】
コントロール信号生成部４７は、入力操作受付部５０による操作入力に応じて映像情報を各部間で送受信するための操作信号を生成する機能を有する。コントロール信号生成部４７は、入力操作判定部４９による判定結果に基づいて各種コントロール信号を生成する。生成されるコントロール信号の具体例としては、コンテンツ供給部選択信号、コンテンツ選択信号、表示再生部選択信号、スロウ／キャッチ操作信号、コピー操作信号、再生操作信号などがある。
【００５３】
コンテンツ供給選択信号は、図３に示すように、複数のコンテンツ供給部１２がホームネットワーク１１に接続されている場合に、ユーザの入力操作に基づいて所望のコンテンツ供給部１２を選択するための操作信号である。
【００５４】
コンテンツ選択信号は、所望のコンテンツを選択するための操作信号である。このコンテンツ選択信号は、コンテンツ受信処理部４１で受信されたコンテンツに関する情報からリスト生成部４２が生成し、リスト表示部４３が表示したコンテンツリストを視認したユーザの操作に応じて生成される。
【００５５】
表示再生部選択信号は、複数の表示再生部１４がホームネットワーク１１に接続されている場合に、所望の表示再生部１４を選択するための操作信号である。この表示再生部選択信号は、表示再生部リスト表示部４８に表示された表示再生部リストを視認したユーザの操作に応じて生成される。
【００５６】
スロウ操作信号は、所望のコンテンツ供給部１２に格納されているコンテンツデータを、所望の表示再生部１４にストリーミング再生させるための操作信号である。キャッチ操作信号は、表示再生部１４にて表示されているコンテンツデータを操作制御部１３のコンテンツ表示部４５に表示する操作信号である。
【００５７】
コピー操作信号は、コンテンツを複製するための操作信号である。再生操作信号は、操作制御部１３自体のコンテンツ表示部４５でコンテンツを再生、停止、およびポーズなどするための操作信号である。また、これらの信号以外にも、表示を選択した表示再生部１４においてコンテンツの再生を開始、停止、およびポーズなどするための操作信号などもある。
【００５８】
コントロール信号生成部４７は、コンテンツ供給部１２から受信したコンテンツを表示再生部１４で再生中に、入力操作受付部５０によりユーザが再生停止操作を行った場合には、以下のような処理を行う。すなわち、コンテンツ再生停止時の時間情報を要求する信号をネットワークＩ／Ｆ部４０を介して表示再生部１４に送信する。そして、この信号に応じて、コンテンツ受信処理部４１がコンテンツ再生停止時の時間情報を表示再生部１４から受信する。リスト生成部４２が、コンテンツ受信処理部４１が受信したコンテンツ再生停止時の時間情報を記憶部４６に記憶する。具体的には、コンテンツ再生停止時の時間情報と、コンテンツの識別情報と、コンテンツの供給元であるコンテンツ供給部の識別情報とを関連付けて記憶部４６に記憶する。
【００５９】
また、コンテンツ供給部１２から受信したコンテンツを操作制御部１３で再生中に、入力操作受付部５０によりユーザが再生停止操作を行った場合には、コンテンツ再生部４４でコンテンツの再生が停止した時の時間情報を記憶部４６に記憶する。
【００６０】
図９は、操作制御部１３のハードウェアの一構成例を示すブロック図である。図９に示すように、操作制御部１３は、アンテナ５１ａと、ネットワーク通信部５１と、コーデック処理部５２と、増幅器５３と、スピーカ５４Ｌ、５４Ｒと、ＧＤＰ５５と、赤外線通信部５６とを備える。また、操作制御部１３は、バス５７と、入力スイッチマトリックス部５８と、ＣＰＵ５９と、ＲＯＭ／ＲＡＭ６０と、ＬＣＤ６１と、記憶装置６２とを備える。
【００６１】
ＣＰＵ５９がバス５７を介してネットワーク通信部５１、コーデック処理部５２、ＧＤＰ（Graphics Display Processor）５５、および赤外線通信部５６に対して接続されている。また、ＣＰＵ５９がバス５７を介してＲＯＭ／ＲＡＭ６０、ＬＣＤ６１、記憶装置６２に対して接続されている。また、ＣＰＵ５９に対して入力操作受付部５０である入力スイッチマトリックス部５８が接続されている。
【００６２】
ネットワーク通信部５１は、無線ＬＡＮ用のアクセスポイント１１ｃとの間で、アンテナ５１ａを介してＩＥＥＥ８０２．１１方式のプロトコル、またはその発展プロトコルなどの所定のプロトコルにしたがった無線通信を行なう。ネットワーク通信部５１は、例えば、アンテナ５１ａを介して、ストリーミング配信されたコンテンツを受信する。
【００６３】
コーデック処理部５２は、ネットワーク通信部５１により受信したコンテンツを、ＣＰＵ５９の制御に基づき、コンテンツを映像データおよび音声データに分離し、分離した映像データおよび音声データをデコードする。増幅器５３は、コーデック処理部５２にてデコードされた音声データを増幅し、ステレオ２ｃｈ用スピーカ５４Ｌ、７６Ｒに供給する。ステレオ２ｃｈ用スピーカ５４Ｌ、７６Ｒは、増幅器５３から供給される音声データに基づき放音する。ＧＤＰ５５は、コーデック処理部５２にてデコードされた映像データに対して所定の映像信号処理を施す。赤外線通信部５６は、各電子機器などを直接リモートコントロールするための操作信号を赤外線により、コントロール対象である電子機器のコントロール信号受信部に送信する。
【００６４】
ＣＰＵ５９は、操作制御部１３に備えられた各部を制御する。ＣＰＵ５９は、入力操作部である入力スイッチマトリックス部５８によるユーザ入力操作に応じてコントロール信号生成部４７として機能し、各コントロール信号を生成する。そして、生成した各コントロール信号をコンテンツ供給部１２、または表示再生部１４にアクセスポイント１１ｃを介して送信する。そして、この送信信号に対する応答信号をコンテンツ供給部１２、または表示再生部１４から受信する。
【００６５】
ＣＰＵ５９は、コンテンツ供給部１２から受信したコンテンツを表示再生部１４で再生中に、入力スイッチマトリックス部５８によりユーザが再生停止操作を行った場合には、以下のような処理を行う。すなわち、コンテンツ再生停止時の時間情報を要求する信号をネットワークＩ／Ｆ部４０を介して表示再生部１４に送信する。そして、ＣＰＵ５９は、この信号に応じて、コンテンツ再生停止時の時間情報をネットワーク通信部５１を介して受信し、受信したコンテンツ再生停止時の時間情報を記憶装置６２に記憶する。
【００６６】
また、ＣＰＵ５９は、コンテンツ供給部１２から受信したコンテンツを操作制御部１３で再生中に、入力スイッチマトリックス部５８によりユーザが再生停止操作を行った場合には、コンテンツ再生停止時の時間情報を記憶部６２に記憶する。
【００６７】
操作制御部１３は、ＥＥＰＲＯＭなどの不揮発性メモリを備えていてもよい。この不揮発性メモリを備えることにより、電源が落とされても、記憶保持した情報が失われることがなく、例えば、各種の設定パラメータなどを記憶保持することができる。
【００６８】
ＲＯＭ６０は、コンテンツ表示再生プログラムや、各種の処理プログラムに加え、処理に必要なデータを記録している。ＲＡＭ６０は、主に各種の処理の作業領域として用いられ、各種の処理において得られたデータを一時的に記憶保持する。
【００６９】
ＬＣＤ６１は、ＧＤＰ５５にて映像信号処理が施された映像データに基づき、映像を表示する。記憶装置６２は、例えば、半導体メモリ、またはＨＤＤであり、コンテンツやレジューム情報などを記憶する。また、記憶装置６２は、レジューム情報が登録される再生レジューム情報データベースを有する。
【００７０】
図１０は、上記ハードウェア構成の操作制御部１３のＣＰＵ５９によって実行されるソフトウェアのブロック図である。遠隔操作信号を生成し、各コンテンツ供給部１２や表示再生部１４を制御するためのリモートコマンダーアプリケーション１１１がある。また、映像・音楽・画像デコード部１１２、リモート機器制御部１１３、グラフィックライブラリ１１４、映像ストリーム処理部１１５が、オペレーションシステム（ＯＳ）１１６に基づいて実行される。また、ネットワークプロトコル処理部１１７は、上記８０２．１１ｂの無線プロトコル１１９を実行する。また、グラフィックプロセッサ１１８は、ＧＤＰ５５により動作する。
【００７１】
図１１は、コンテンツリスト表示の一例を示す。図１１に示すように、コンテンツリストには、操作制御部１３のリスト表示部４３には、コンテンタイトルである「コンテンツＡ」、「コンテンツＢ」、「コンテンツＣ」、および「コンテンツＤ」が表示される。
【００７２】
コンテンツリストにタイトルが表示されたコンテンツのうち、操作制御部１３または表示再生部１４にて途中まで再生されたことのあるコンテンツのタイトル「コンテンツＣ」、「コンテンツＤ」には、その右近傍にアイコン７２が表示される。一方、操作制御部１３または表示再生部１４にて途中まで再生されたことのないコンテンツのタイトル「コンテンツＡ」、「コンテンツＢ」には、その右近傍にアイコン７２が表示されないようになっている。すなわち、アイコン７２は、再生レジューム情報が操作制御部１３に格納されていることを示すものである。
【００７３】
また、フォーカス７１は、ユーザが入力操作受付部５０を操作することにより、上下に移動する。これにより、ユーザは、コンテンツリストのタイトルのうちから所望のものをフォーカスし選択できる。
【００７４】
図１２は、再生レジューム情報データベースの一例である。図１２に示すように、この再生レジューム情報データベースは、コンテンツ供給元のコンテンツ供給部の識別情報、コンテンツの識別情報、コンテンツの再生停止時の時間情報（以下、コンテンツの再生時間と適宜称する。）、およびコンテンツのタイトルを項目として備え、これらの情報が関連付けられている。また、必要に応じて、コンテンツを操作制御部１３にダウンロードする直前に当該コンテンツを再生していた表示再生部１４の識別情報をさらに関連づけて記憶するようにしてもよい。図１２では、３つの再生レジューム情報d1、d2、d3が登録されている場合が示されている。
【００７５】
コンテンツの供給部の識別情報は、ホームネットワーク１１内でコンテンツ供給部１２を唯一無二に特定できる機器識別情報である。コンテンツの識別情報は、ホームネットワーク１１内でコンテンツを唯一無二に特定できる識別情報である。再生停止時の時間情報（コンテンツの再生時間）は、表示再生部１４または操作制御部１３にてコンテンツを再生していた場合に、操作制御部１３にてその再生を停止したときのコンテンツの再生位置（再生時間）を示す情報である。表示再生部１４の識別情報は、ホームネットワーク１１内で表示再生部１４を唯一無二に特定できる機器識別情報である。
【００７６】
図１３は、図１２に示した再生レジューム情報データベースを更新した場合の一例を示す。３つの再生レジューム情報d1、d2、d3のうち、再生レジューム情報d1に対応するコンテンツを再度再生指示したのち、途中で停止指示した結果、時間情報が更新されている。すなわち、再生レジューム情報d1の時間情報が「00h01m23s45」から「00h15m04s33」に更新されている。
【００７７】
［ＧＵＩ表示および途中再生時の処理］
以下、図１４を参照して、操作制御部１３の再生操作制御により表示再生部１４にてコンテンツを再生する場合における、再生レジューム情報を使ったＧＵＩ表示、および途中再生の処理の一例について説明する。
【００７８】
まず、図１４に示される処理の開始に先んじて、操作制御部１３、表示再生部１４、コンテンツ供給部１２がホームネットワーク１１に接続される。次に、ステップＳ１００において、操作制御部１３が、ホームネットワーク１１内の対応機器を検出するために応答要求をコンテンツ供給部１２、および表示再生部１４に出す。この要求に応じて、ステップＳ１０１において、表示再生部１４が、ホームネットワーク１１内で当該機器を唯一無二に特定できる機器識別情報や表示再生能力などの機器情報を操作制御部１３に送信する。また、ステップＳ１０２において、コンテンツ供給部１２が、ホームネットワーク１１内で当該機器を唯一無二に特定できる機器識別情報や供給できるコンテンツの種別などの機器情報を操作制御部１３に送信する。
【００７９】
次に、ステップＳ１０３において、操作制御部１３は、コンテンツ供給部１２にコンテンツリストを要求する。この要求に応じて、ステップＳ１０４において、コンテンツ供給部１２は、操作制御部１３にコンテンツリストを送信する。
【００８０】
以下、図１１に示すコンテンツリストに含まれる複数のコンテンツのうち、「コンテンツＡ」をリスト表示部４３へ表示する場合を例として説明する。「コンテンツＢ」、「コンテンツＣ」などの「コンテンツＡ」以外のコンテンツについても同様にリスト表示部４３に表示することができる。
【００８１】
まず、ステップＳ１０５において、操作制御部１３は、コンテンツＡをリスト表示部４３に表示する。次に、ステップＳ１０６において、操作制御部１３は以下のように処理を行う。リスト生成部４２のコンテンツＡの情報のうち、コンテンツＡの供給元であるコンテンツ供給部１２の識別情報と、コンテンツＡ自身の識別情報とに基づき、記憶部４６にある再生レジューム情報データベースを照合する。そして、該当する再生レジューム情報が再生レジューム情報データベースに登録されている否かを判断する。
【００８２】
ステップＳ１０６にて該当する再生レジューム情報が再生レジューム情報データベースに登録されている場合には、ステップＳ１０７において、再生レジューム情報ありアイコン７２を、コンテンツＡのタイトル近傍に表示する。一方、ステップＳ１０６にて該当する再生レジューム情報が再生レジューム情報データベースに登録されていない場合には、再生レジューム情報ありアイコン７２は表示されず、処理はステップＳ１０８に移行する。
【００８３】
具体的には例えば、ステップＳ１０６において以下のような処理を行う。すなわち、リスト生成部４２のコンテンツＡの情報のうち、コンテンツＡの供給元であるコンテンツ供給部１２の識別情報「abc」と、コンテンツＡ自身の識別情報「10084」とに基づき、記憶部４６の再生レジューム情報データベースを照合する。図１２に示した再生レジューム情報が再生レジューム情報データベースに登録されている場合には、該当する再生レジューム情報が再生レジューム情報データベースに登録されているので、処理はステップＳ１０７に移行する。そして、ステップＳ１０７において、再生レジューム情報ありアイコン７２をコンテンツＡのタイトルの近傍に表示する。一方、ステップ１０６において、リスト生成部４２のコンテンツＡの情報のうち、コンテンツＡの識別情報が「10083」であり、図１２に示した再生レジューム情報が再生レジューム情報データベースに登録されている場合には、以下のように処理する。すなわち、該当する再生レジューム情報が再生レジューム情報データベースに登録されていないので、処理はステップＳ１０８に移行する。したがって、再生レジューム情報ありアイコン７２は表示されないことになる。
【００８４】
次に、ステップＳ１０８において、コンテンツＡを表示再生部１４で再生させる操作がなされると、操作制御部１３は、再生指示の準備として、ステップＳ１０９において再生開始時間に「０」、すなわち「00h00m00s00」を設定する。
【００８５】
次に、ステップＳ１１０において、操作制御部１３は、コンテンツＡの再生レジューム情報が再生レジューム情報データベースに登録されているか否かを判断する。ステップＳ１１０にてコンテンツＡの再生レジューム情報が再生レジューム情報データベースに登録されている場合には、ステップＳ１１１において操作制御部１３は以下の処理を行う。すなわち、操作制御部１３は、再生レジューム情報データベースに登録されているコンテンツＡの再生レジューム情報の時間情報を再生開示時間に設定する。一方、ステップＳ１１０にてコンテンツＡの再生レジューム情報が再生レジューム情報データベースに登録されてない場合には、ステップＳ１１１において、処理はステップＳ１１２に移行する。
【００８６】
具体的には例えば、ステップＳ１１０において操作制御部１３は以下の処理を行う。コンテンツＡの識別情報が「10084」であり、図１２に示した再生レジューム情報が再生レジューム情報データベースに登録されている場合、コンテンツＡの識別情報と時間情報「00h01m23s45」とが関係付けられている。したがって、処理はステップＳ１１１に移行し、ステップＳ１１１において、操作制御部１３は、再生開始時間に「00h01m23s45」を設定する。一方、コンテンツＡの識別情報が「10083」であれば、時間情報がないので、処理はステップＳ１１２に移行する。したがって、開始時間は「０」、すなわち「00h00m00s00」のままとなる。
【００８７】
次に、ステップＳ１１２において、操作制御部１３は、ステップＳ１１１にて設定された再生開始時間を表示再生部１４に指定してコンテンツＡの再生を要求する。次に、ステップＳ１１３において、表示再生部１４が、操作制御部１３からコンテンツＡの再生要求を受け、コンテンツＡの供給元であるコンテンツ供給部１２へ開始時間を指定してコンテンツＡの再生を要求する。
【００８８】
次に、ステップＳ１１４において、コンテンツ供給部１２が、表示再生部１４からコンテンツＡの再生要求を受け、このコンテンツ再生要求の指定時間からコンテンツＡを表示再生部１４に送信する。次に、ステップＳ１１５において、表示再生部１４が、コンテンツ供給部からコンテンツＡを受信し、コンテンツ表示部３４およびコンテンツ音声出力部３５によりコンテンツＡを再生する。次に、ステップＳ１１６において、表示再生部１４が、再生状態になったことを操作制御部１３に通知する。次に、ステップＳ１１７において、操作制御部１３が、表示再生部１４から再生状態になったことを示す通知を受信し、コンテンツＡの操作制御状態となる。これにより、操作制御部１３において、例えば、コンテンツＡを早送り／早戻ししたり、一時停止したり、停止することができるようになる。
【００８９】
なお、図１４に示した処理において、コンテンツをリスト表示部４３に表示する際に、ステップＳ１０６とステップＳ１１０との判断を兼用するようにしてもよい。すなわち、再生レジューム情報ありアイコン７２を表示するか否かの判断（ステップＳ１０６）と、再生要求するときに指示する開始時間を設定するための判断（ステップＳ１１０）とを兼用するようにしてもよい。
【００９０】
［再生停止操作時の処理］
以下、図１５を参照して、コンテンツ再生途中で再生停止操作制御を行い、当該コンテンツの再生レジューム情報を記憶する処理の一例について説明する。
【００９１】
まず、ステップＳ２００において、表示再生部１４でコンテンツＡを再生途中に、操作制御部１３により停止操作制御がなされると、ステップＳ２０１において、操作制御部１３が表示再生部１４に対して停止要求を送信する。
【００９２】
次に、ステップＳ２０２において、表示再生部１４が、操作制御部１３から停止要求を受信すると、コンテンツ供給部１２へ停止要求を送信する。次に、ステップＳ２０３において、コンテンツ供給部１２が、表示再生部１４から停止要求を受信すると、表示再生部１４に対するコンテンツＡの送信を停止する。この結果、ステップＳ２０４において、表示再生部１４はコンテンツＡの再生を停止し、ステップＳ２０５において、表示再生部１４は操作制御部１３にコンテンツＡの停止完了を通知する。
【００９３】
次に、ステップＳ２０６において、操作制御部１３は、表示再生部１４からコンテンツＡの停止完了が通知されると、コンテンツＡの再生時間（再生停止時の時間情報）を取得するため、表示再生部１４にコンテンツＡの再生時間の取得要求を送信する。次に、ステップＳ２０７において、表示再生部１４は、操作制御部１３からコンテンツＡの再生時間の取得要求を受信すると、再生時間を操作制御部１３に送信する。
【００９４】
次に、ステップＳ２０８において、操作制御部１３は、表示再生部１４から取得したコンテンツＡの再生時間に基づき、再生レジューム情報データベースにおけるコンテンツＡの再生レジューム情報の時間情報を更新する。
【００９５】
具体的には、コンテンツ供給部１２の識別情報が「abc」、コンテンツＡの識別情報が「10084」、表示再生部１４から取得したコンテンツＡの再生時間が「00h15m04s33」である場合には、操作制御部１３は、以下のように更新処理を行う。すなわち、図１２に示す再生レジューム情報d1の時間情報「00h01m23s45」を、図１３に示す再生レジューム情報d1の時間情報「00h15m04s33」に更新する。
【００９６】
なお、ステップＳ１０６およびステップＳ１１０において、コンテンツＡの再生レジューム情報が再生レジューム情報データベースに登録されていないと判断された場合には、コンテンツが途中で再生停止されたときに、再生レジューム情報を新たに追加する。具体的には、再生レジューム情報データベースにコンテンツＡの再生レジューム情報を新たに追加する。例えば、図１２に示す再生レジューム情報データベースに再生レジューム情報d4を新たに追加する。
【００９７】
［ダウンロード時の処理］
以下、図１６を参照して、コンテンツ供給部１２から操作制御部１３にコンテンツをダウンロールする処理の一例について説明する。
【００９８】
ステップＳ３００〜Ｓ３０８の処理はそれぞれ、図１５に示したステップＳ２００〜Ｓ２０８の処理と同様である。
【００９９】
次に、ステップＳ３０９において、操作制御部１３によりコンテンツのダウンロード操作がなされると、操作制御部１３がコンテンツ送信要求およびコンテンツＡの識別情報をコンテンツ供給部１２に送信する。次に、ステップＳ３１０において、コンテンツ供給部１２が、操作制御部１３からコンテンツ送信要求およびコンテンツＡの識別情報を受信すると、コンテンツＡの識別情報に基づきコンテンツ蓄積部２２を検索する。そして、検索されたコンテンツＡを操作制御部１３に送信する。次に、操作制御部１３が、コンテンツ供給部１２からコンテンツＡを受信し、例えばこのコンテンツＡを、コンテンツ供給部の識別情報、コンテンツＡの識別情報、およびコンテンツＡの再生時間と関連付けて記憶する。ここで、コンテンツＡの再生時間は、ステップＳ３０８にて表示再生部１４から取得した時間情報である。すなわち、ステップＳ３００にて再生停止操作をしたときのコンテンツの再生時間である。
【０１００】
上述のようにしてダウンロードされたコンテンツＡは、操作制御部１３において例えば以下のようにして再生される。まず、操作制御部１３は、入力操作受付部５０の操作に応じて、記憶部４６に記憶されているコンテンツのタイトルをリスト表示する。そして、入力操作受付部５０の操作により、リストから再生を所望するコンテンツＡのタイトル（以下、タイトルＡと適宜称する。）が選択されると、このタイトルＡに関連付けられたコンテンツＡの再生時間を記憶部４６から検索し、検索したコンテンツＡの再生時間に基づき、記憶部４６に記憶されたコンテンツＡを再生する。これにより、表示再生部１４にて途中まで再生したコンテンツＡの続きから、操作制御部１３にてコンテンツＡが再生される。
【０１０１】
［シームレス再生時の処理］
以下、図１７を参照して、操作制御部１３にて途中まで再生したコンテンツを表示再生部１４にてシームレスに再生する処理の一例について説明する。
【０１０２】
まず、図１７に示される処理の開始に先んじて、操作制御部１３、表示再生部１４、コンテンツ供給部１２がホームネットワーク１１に接続される。次に、ステップＳ４００において、操作制御部１３が、ホームネットワーク１１内の対応機器を検出するために応答要求をコンテンツ供給部１２、および表示再生部１４に出す。この要求に応じて、ステップＳ４０１において、表示再生部１４が、ホームネットワーク１１内で当該機器を唯一無二に特定できる機器識別情報や表示再生能力などの機器情報を操作制御部１３に送信する。また、ステップＳ４０２において、コンテンツ供給部１２が、ホームネットワーク１１内で当該機器を唯一無二に特定できる機器識別情報や供給できるコンテンツの種別などの機器情報を操作制御部１３に送信する。
【０１０３】
次に、ステップＳ４０３において、操作制御部１３が、コンテンツ供給部１２および表示再生部１４から機器識別情報や機器情報などを受信し、記憶部４６に記憶する。次に、ステップＳ４０４において、操作制御部１３が、入力操作受付部５０の操作に応じて、操作制御部１３の記憶部４６に記憶されているコンテンツのタイトルをリスト表示する。次に、ステップＳ４０５において、入力操作受付部５０によりコンテンツのリストから所望のタイトルＡが選択されると、操作制御部１３が、このタイトルＡを再生可能な表示再生部１４を検索する。具体的には、操作制御部１３が、記憶部４６に記憶された機器識別情報や機器情報などに基づき、ステップＳ４０４において選択されたコンテンツＡを再生可能な表示再生部１４を検索し、検索結果をリスト表示する。次に、ステップＳ４０６において、入力操作受付部５０により機器リストから所望の表示再生部１４が選択されると、処理はステップＳ４０７に移行する。そして、ステップＳ４０７において、操作制御部１３が、ステップＳ４０６にて選択された表示再生部１４に対して、再生開始時間を指定してコンテンツＡの再生を表示再生部１４に要求する。具体的には、操作制御部１３が、ステップＳ４０５にて選択されたタイトルＡに関連付けられたコンテンツ供給部の識別情報と、コンテンツＡの識別情報と、コンテンツＡの再生時間とを記憶部４６から検索する。そして、検索したこれらの情報を、ステップＳ４０６にて選択された表示再生部１４に対して送信する。
【０１０４】
次に、ステップＳ４０８において、表示再生部１４が、操作制御部１３から受信したコンテンツ供給部の識別情報と、コンテンツＡの識別情報と、コンテンツＡの時間情報とを操作制御部１３から受信する。そして、受信したコンテンツ供給部の識別情報に対応するコンテンツ供給部１２に対して、受信したコンテンツＡの識別情報と、コンテンツＡの再生時間とを送信し、コンテンツＡの再生を要求する。ステップＳ４０９において、コンテンツ供給部１２が、表示再生部１４から受信したコンテンツＡの識別情報に基づきコンテンツ蓄積部２２を検索する。そして、検索したコンテンツＡを、表示再生部１４から受信したコンテンツＡの再生時間に基づく時間から表示再生部１４に供給する。
【０１０５】
次に、ステップＳ４１０において、表示再生部１４は、コンテンツ供給部１２からコンテンツＡを受信し、受信したコンテンツＡをコンテンツ表示部３４およびコンテンツ音声出力部３５により再生する。次に、ステップＳ４１１において、表示再生部１４が、再生状態になったことを操作制御部１３に通知する。次に、ステップＳ４１２において、操作制御部１３が、表示再生部１４から再生状態になったことを示す通知を受信し、コンテンツＡの操作制御状態となる。これにより、操作制御部１３において、例えば、コンテンツＡを早送り／早戻ししたり、一時停止したり、停止することができるようになる。
【０１０６】
この発明の一実施形態によれば、表示再生部１４または操作制御部１３自体でストリーミング再生しているとき、ユーザの都合により再生を途中で停止しても、再開時に停止位置からのコンテンツを再生することができる。
【０１０７】
また、コンテンツ供給部１２のコンテンツリストを操作制御部１３に表示する際、再生レジューム情報が操作制御部１３に記憶されているコンテンツと、記憶されていないコンテンツとをリスト表示部４３に差異化して表示する。したがって、再生指示するコンテンツが先頭からではなく途中から再生されることをユーザはひと目で把握することができる。
【０１０８】
また、再生レジューム情報を操作制御部１３の記憶部４６に保存する際、コンテンツの識別情報と、コンテンツ供給元となるコンテンツ供給部の識別情報とを関連付けて保存する。したがって、ホームネットワーク１１に複数のコンテンツ供給部１２が接続されている場合にも、コンテンツに対する再生レジューム情報の有無を照合できる。
【０１０９】
また、最後に停止したコンテンツだけではなく複数コンテンツの再生レジューム情報を操作制御部１３に保存することが可能である。したがって、途中で再生を停止して次回再生時にその続きからコンテンツを視聴したかったのに先頭から視聴せざるを得ない、という不都合な状況がなくなる。
【０１１０】
また、複数のユーザがそれぞれ操作制御部１３を所持する場合、再生レジューム情報を操作制御部１３の記憶部４６に記憶することにより一つのコンテンツに対してユーザごとの再生レジューム情報が保存可能となる。したがって、コンテンツ表示再生システム１のユーザが複数いる場合にも、各ユーザが前回コンテンツの再生を停止した位置から適切に再生することができる。これに対して、再生レジューム情報をコンテンツ供給部１２に記憶する場合、コンテンツと再生レジューム情報が１対１になる。したがって、コンテンツ表示再生システムのユーザが複数いる場合、各ユーザが前回コンテンツの再生を停止した位置から適切に再生することは困難である。
【０１１１】
また、ホームネットワーク１１上のコンテンツ供給部（例えば、ＨＤＤレコーダ、ＨＤＤコンポ等の据え置き機器）１２と操作制御部（ウォークマン等のポータブル機器）１３との間でコンテンツを共有する場合、以下のような処理を行うことが好ましい。すなわち、これまでのようなチェックイン／チェックアウトのような権利のやりとりのみでなく、コンテンツの再生位置情報の引継ぎを行うことがこのましい。このような処理をすることで、異なる機器間で連続してコンテンツを楽しめるようになる。具体的には例えば、外出先でポータブル機器で途中まで再生したコンテンツの続きを、ホームネットワーク上の家庭用ＡＶ機器または据え置き機器で簡単に楽しめるようになる。また、その逆も可能である。このように、ポータブル機器で見ていたコンテンツの続きを家庭用ＡＶ機器で引き続き再生可能とする処理は、長時間ドラマなどのコンテンツを鑑賞する場合に特に有効である。
【０１１２】
また、ポータブル機器などの操作制御部１３と、ホームネットワーク上のＡＶ機器などの表示再生部１４との間で、ユーザは煩わしい操作をすることなくコンテンツをシームレスに楽しむことができる。
【０１１３】
＜２．第２の実施形態＞
以下、第１の実施形態と対応する箇所には同一の符号を付して説明する。第２の実施形態は、コンテンツ供給部１２が、レンダラ機能、すなわち表示再生部１４の機能を有する点において、第１の実施形態とは異なっている。
【０１１４】
以下、図１８を参照して、操作制御部１３にて途中まで再生したコンテンツを表示再生部１４にてシームレスに再生する動作の一例について説明する。
【０１１５】
ステップＳ５００〜５０４の処理はそれぞれ、図１７に示したステップＳ４００〜Ｓ４０４の処理と同様である。
【０１１６】
次に、ステップＳ５０５において、入力操作受付部５０によりコンテンツのリストから所望のタイトルＡが選択されると、操作制御部１３が、このタイトルＡを再生可能な表示再生部１４およびコンテンツ供給部１２を検索する。具体的には、操作制御部１３が、記憶部４６に記憶された機器識別情報や機器情報などに基づき、ステップＳ５０４において選択されたコンテンツＡを再生可能な表示再生部１４およびコンテンツ供給部１２を検索し、検索結果をリスト表示する。次に、ステップＳ５０６において、入力操作受付部５０により機器リストから所望のコンテンツ供給部１２が選択されると、処理はステップＳ５０７に移行する。そして、ステップＳ５０７において、操作制御部１３が、ステップＳ５０６にて選択されたコンテンツ供給部１２に対して、再生開始時間を指定してコンテンツＡの再生をコンテンツ供給部１２に要求する。具体的には、操作制御部１３が、ステップＳ５０５にて選択されたタイトルＡに関連付けられたコンテンツＡの識別情報と、コンテンツＡの再生時間とを記憶部４６から検索する。そして、検索したこれらの情報を、ステップＳ５０６にて選択されたコンテンツ供給部１２に対して送信する。
【０１１７】
次に、ステップＳ５０８において、コンテンツ供給部１２が、操作制御部１３から受信したコンテンツの識別情報と、コンテンツＡの再生時間とを受信する。そして、操作制御部１３から受信したコンテンツの識別情報に基づきコンテンツ蓄積部２２を検索し、検索されたコンテンツを、表示再生部１４から受信したコンテンツの再生時間に基づく時間から再生する。
【０１１８】
次に、ステップＳ５０９において、コンテンツ供給部１２が、再生状態になったことを操作制御部１３に通知する。次に、ステップＳ５１０において、操作制御部１３が、コンテンツ供給部１２から再生状態になったことを示す通知を受信し、コンテンツＡの操作制御状態となる。これにより、操作制御部１３において、例えば、コンテンツＡを早送り／早戻ししたり、一時停止したり、停止することができるようになる。
【０１１９】
以上、この発明の一実施形態について具体的に説明したが、この発明は、上述の一実施形態に限定されるものではなく、この発明の技術的思想に基づく各種の変形が可能である。
【０１２０】
例えば、上述の一実施形態において挙げた構成、および数値などはあくまでも例に過ぎず、必要に応じてこれと異なる構成、および数値などを用いてもよい。
【０１２１】
また、この発明の一実施形態において、操作制御部１３として携帯端末を用い、記憶部４６の容量を十分に大きくすることが難しい場合は、記憶部４６の再生レジューム情報データベースの再生レジューム情報数に上限を設けることが好ましい。そして、この上限値を超えた場合には、古い情報から順に再生レジューム情報を上書きして更新するようにしてもよい。
【０１２２】
また、上述の一実施形態では、コンテンツのタイトル近傍にアイコンを表示する場合を例として説明した。しかし、再生レジューム情報が操作制御部１３にあるコンテンツと、再生レジューム情報が操作制御部１３にないコンテンツとを差異化して表示できればよく、この発明はこの例に限定されるものではない。例えば、コンテンツのタイトルに色が付されているか否かにより、再生レジューム情報があるコンテンツと再生レジューム情報がないコンテンツとを差異化して表示するようにしてもよい。
【０１２３】
また、上述の実施形態においては、ＡＶデータを再生する場合を例として説明したが、音声データを再生するようにしてもよい。
【０１２４】
また、上述の実施形態において、再生装置がＡＶデータおよび／または音声データを再生可能な表示再生部１４である場合を例として説明したが、再生部はこの例に限定されるものではない。例えば、再生装置を音声データを再生可能な音声再生部としてもよい。
【０１２５】
また、上述の実施形態において、コンテンツ供給部１２から操作制御部１３へのコンテンツのダウンロード回数に制限を設けるようにしてもよい。例えば、コンテンツ供給部１２が、操作制御部１３に対するコンテンツのダウンロード回数の上限値（例えば１０回）を示すカウンタを有する。そして、コンテンツ供給部１２は、コンテンツがダウンロードする度に、カウンタをデクリメントし、カウンタの値が「０」になった場合には、コンテンツ供給部１２がコンテンツを消去するようにする。あるいは、操作制御部１３に対するコンテンツのダウンロードを禁止するようにしてもよい。
【０１２６】
また、上述の実施形態において、コンテンツとしてＤＲＭ付きのコンテンツを用いてもよい。この場合、操作制御部１３にて途中まで再生したコンテンツを表示再生部１４にてシームレスに再生するときには、例えば、以下のような処理を行う。コンテンツ供給部１２に対して、操作制御部１３によりコンテンツの識別情報を指定して、コンテンツの権利のアップロードを行う。この際、実際にコンテンツをアップロードしてもよいが、実際にコンテンツをアップロードする処理は必須ではなく、コンテンツを仮想的にアップロードするのみでもよい。そして、このコンテンツの権利がアップロードされたコンテンツは、ネットワーク上で再生可能となる。なお、コンテンツの権利のアップロードが成功した時点で、コンテンツを操作制御部１３側では、再生不可能とする。また、ポータブル機器などである操作制御部１３の認証には、種々の認証方法が採用可能であるが、例えば、コンテンツ供給部１２に対して予め操作制御部１３を登録しておき、この登録した情報に基づき認証を行う方法を用いることができる。
【０１２７】
上述したように、ＤＲＭ付きのコンテンツにおいても、ポータブル機器などの操作制御部１３とネットワーク上のＡＶ機器であるコンテンツ供給部１２との権利のやり取りを半自動化できるので、現在と比較してユーザの利便性を向上できる。
【０１２８】
また、上述の第１の実施形態では、機器リストを表示し、コンテンツの再生を所望する表示再生部１４を選択する場合について説明したが（図１７参照）、この発明はこの例に限定されるものではない。例えば、操作制御部１３で途中まで再生したコンテンツの再生を選択すると、当該コンテンツを操作制御部１３にダウンロードする直前に再生していた再生機器で自動的に再生される構成としてもよい。
【０１２９】
具体的には以下のような構成とすればよい。すなわち、コンテンツＡをダウンロードしたとき、このダウンロードＡの直前にコンテンツＡを再生していた表示再生部の識別情報を、コンテンツ供給部の識別情報、コンテンツＡの識別情報、およびコンテンツＡの再生時間と関連付けて記憶部４６記憶する。そして、表示制御部１３にてダウンロードしたコンテンツＡを再生した後、その続きをホームネットワーク１１上で再生する操作がなされた場合、以下のようにしてコンテンツＡを再生する。すなわち、操作制御部１３は、再生要求があったコンテンツＡに関連付けられた表示再生部の識別情報、コンテンツ供給部の識別情報、コンテンツＡの識別情報、およびコンテンツＡの再生時間を記憶部から検索する。そして、上記表示再生部の識別情報に対応する表示再生部１４に対して、上記コンテンツ供給部の識別情報、コンテンツＡの識別情報、およびコンテンツＡの再生時間を送信する。
【０１３０】
また、上述の第２の実施形態では、機器リストを表示し、コンテンツの再生を所望するコンテンツ供給部１２を選択する場合について説明したが（図１８参照）、この発明はこの例に限定されるものではない。例えば、操作制御部１３で途中まで再生したコンテンツの再生を選択すると、当該コンテンツを操作制御部１３にダウンロードする直前に再生していたコンテンツ供給部１２で自動的に再生される構成としてもよい。
【０１３１】
具体的には以下のような構成とすればよい。すなわち、コンテンツＡをダウンロードしたとき、このダウンロードＡの直前にコンテンツＡを再生していたコンテンツ供給部の識別情報を、コンテンツＡの識別情報、およびコンテンツＡの再生時間と関連付けて記憶部４６記憶する。そして、表示制御部１３にてダウンロードしたコンテンツＡを再生した後、その続きをホームネットワーク１１上で再生する操作がなされて場合、以下のようにしてコンテンツＡを再生する。すなわち、操作制御部１３は、再生要求があったコンテンツＡに関連付けられたコンテンツ供給部の識別情報、コンテンツＡの識別情報、およびコンテンツＡの再生時間を記憶部から検索する。そして、上記コンテンツ供給部の識別情報に対応するコンテンツ供給部１２に対して、上記コンテンツＡの識別情報、およびコンテンツＡの再生時間を送信する。
【符号の説明】
【０１３２】
１    コンテンツ表示再生システム
１１    ホームネットワーク
１２    コンテンツ供給部
１３    操作制御部
１４    表示再生部
４０    ネットワークＩ／Ｆ
４１    コンテンツ受信処理部
４２    リスト生成部４２
４３    リスト表示部
４４    コンテンツ再生部
４５    コンテンツ表示部
４６    記憶部
４７    コントロール信号生成部
４８    表示再生部リスト表示部
４９    入力操作判定部
５０    入力操作受付部
７１    フォーカス
７２    アイコン
【図１】
2010028791.tif 000003
【図２】
2010028791.tif 000004
【図３】
2010028791.tif 000005
【図４】
2010028791.tif 000006
【図５】
2010028791.tif 000007
【図６】
2010028791.tif 000008
【図７】
2010028791.tif 000009
【図８】
2010028791.tif 000010
【図９】
2010028791.tif 000011
【図１０】
2010028791.tif 000012
【図１１】
2010028791.tif 000013
【図１２】
2010028791.tif 000014
【図１３】
2010028791.tif 000015
【図１４】
2010028791.tif 000016
【図１５】
2010028791.tif 000017
【図１６】
2010028791.tif 000018
【図１７】
2010028791.tif 000019
【図１８】
2010028791.tif 000020